(57)【要約】【課題】既存の構成を共用（流用）して、部品点数の増大、構成の複雑化を招くことなく、所持者の出入り口の入出方向を検出することにより、忘れ物があるという通知を必要なときに適切に行う。【解決手段】所持品忘れ検知システムにおいては、アンテナは出入り口より内側に設置されているので、出入り口の内側と外側では電界強度分布が異なる状況が生じる。制御装置は、電界強度の変化率ｅ'が第１所定値Ｅ１'より大きい場合には、所持者がアンテナが設置されている側の反対側から出入り口に進入すると判定する（ステップ２０４，２０６）。また、制御装置３１は、電界強度の変化率ｅ'が第１所定値Ｅ１'以下で第２所定値Ｅ２'より大きく、かつ、電界強度ｅが第３所定値Ｅ３より大きい場合には、所持者がアンテナが設置されている側から出入り口に進入すると判定する（ステップ２０４，２２８，２３０）。【選択図】  図７
2007179150.tif 000002
【特許請求の範囲】
【請求項１】
ドアを有する出入り口を通って出入りする所持者が所持すべき所持品に付されて当該所持品の識別情報を前記所持者の識別情報と関連付けて記憶している無線記憶体と、
前記無線記憶体からの前記両識別情報を含んだ信号をアンテナを介して入力し、該信号から前記両識別情報を読み取る情報読取装置と、
前記情報読取装置によって読み取った前記識別情報に基づいて前記所持者が所持すべき前記所持品を持っているか否かを判定する所持品所持判定手段を有する制御装置と、
前記所持品所持判定手段によって前記所持者が所持すべき前記所持品を持っていないと判定された場合には、その旨を通知する通知装置と、を備えた所持品忘れ検知システムにおいて、
前記アンテナは前記出入り口より一方の所定空間内または他方の所定空間内に設置され、
前記情報読取装置は、前記アンテナを介して入力した前記信号に基づいて前記無線記憶体から発信された電波の電界強度を検出する電界強度検出手段を有し、
前記制御装置は、前記電界強度検出手段によって検出された電界強度に基づいて前記所持者が前記出入り口に入る方向を判定する出入り口進入方向判定手段をさらに有することを特徴とする所持品忘れ検知システム。
【請求項２】
請求項１において、前記出入り口進入方向判定手段は、
前記電界強度検出手段によって検出された前記電界強度に基づいて該電界強度の変化率を導出する電界強度変化率導出手段と、
前記電界強度変化率導出手段によって導出された前記電界強度の変化率が第１所定値より大きいか否かを比較する第１比較手段と、
前記電界強度の変化率が第１所定値より大きい場合には、前記所持者が前記アンテナが設置されている側の反対側から前記出入り口に進入すると判定する第１進入方向判定手段と、を備えたことを特徴とする所持品忘れ検知システム。
【請求項３】
請求項２において、前記出入り口進入方向判定手段は、
前記電界強度変化率導出手段によって導出された電界強度の変化率が前記第１所定値より小さい第２所定値より大きいか否かを比較する第２比較手段と、
前記電界強度検出手段によって導出された電界強度が第３所定値より大きいか否かを比較する第３比較手段と、
前記電界強度の変化率が前記第１所定値以下で前記第２所定値より大きく、かつ、前記電界強度が前記第３所定値より大きい場合には、前記所持者が前記アンテナが設置されている側から前記出入り口に進入すると判定する第２進入方向判定手段と、を備えたことを特徴とする所持品忘れ検知システム。
【請求項４】
ドアを有する出入り口を通って出入りする所持者が所持すべき所持品に付されて当該所持品の識別情報を前記所持者の識別情報と関連付けて記憶している無線記憶体と、
前記無線記憶体からの前記両識別情報を含んだ信号をアンテナを介して入力し、該信号から前記両識別情報を読み取る情報読取装置と、
前記情報読取装置によって読み取った前記識別情報に基づいて前記所持者が所持すべき前記所持品を持っているか否かを判定する所持品所持判定手段を有する制御装置と、
前記所持品所持判定手段によって前記所持者が所持すべき前記所持品を持っていないと判定された場合には、その旨を通知する通知装置と、を備えた所持品忘れ検知システムにおいて、
前記アンテナは前記出入り口より一方の所定空間内または他方の所定空間内に設置され、
前記情報読取装置は、該情報読取装置が前記識別情報を正常に読み取る確率を導出する読取確率導出手段を有し、
前記制御装置は、前記読取確率導出手段によって導出された読取確率に基づいて前記所持者が前記出入り口に入る方向を判定する出入り口進入方向判定手段をさらに有することを特徴とする所持品忘れ検知システム。
【請求項５】
請求項４において、前記出入り口進入方向判定手段は、
前記読取確率導出手段によって導出された読取確率に基づいて前記読取確率の変化率を導出する読取確率変化率導出手段と、
前記読取確率変化率導出手段によって導出された前記読取確率の変化率が第４所定値より大きいか否かを比較する第４比較手段と、
前記読取確率の変化率が第４所定値より大きい場合には、前記所持者が前記アンテナが設置されている側の反対側から前記出入り口に進入すると判定する第１進入方向判定手段と、を備えたことを特徴とする所持品忘れ検知システム。
【請求項６】
請求項５において、前記出入り口進入方向判定手段は、
前記読取確率変化率導出手段によって導出された前記読取確率の変化率が前記第４所定値より小さい第５所定値より大きいか否かを比較する第５比較手段と、
前記読取確率導出手段によって導出された読取確率が第６所定値より大きいか否かを比較する第６比較手段と、
前記読取確率の変化率が前記第４所定値以下で前記第５所定値より大きく、かつ、前記読取確率が前記第６所定値より大きい場合には、前記所持者が前記アンテナが設置されている側から前記出入り口に進入すると判定する第２進入方向判定手段と、を備えたことを特徴とする所持品忘れ検知システム。
【発明の詳細な説明】
【技術分野】
【０００１】
本発明は、所持品忘れ検知システムに関する。
【背景技術】
【０００２】
この所持品忘れ検知システムの一例としては、特許文献１に示されている所持品忘れ検知システムがある。この所持品忘れ検知システムにおいては、建物の出入り口を無線タグ（無線記憶体）が付けられた手荷物を収めたバッグが通過すると、無線タグの中のＩＣタグ１２が読み取り部６によって読み取られ、読み取られた情報がパソコン４に送信されるようになっている。パソコン４では、送信されてきた情報と手荷物リストとを照合し、持ち主に不足物をＬＣＤ８及びスピーカ１０を介して告知をするようになっている。これにより、持ち主は、外出時、帰宅時の忘れ物を知ることができる。
【０００３】
また他の一例としては、特許文献２に示されている所持品忘れ検知システムがある。この所持品忘れ検知システムにおいては、タグ読取装置２０＿１が、所持品７０に付けられたタグ（無線記憶体）１０の識別子を読み取り、管理装置６０が、タグ識別子に対応した所持品７０とその所持者８０に関する所持品確認通知内容を予め規定した所持品チェックリスト８３０に基づき通知内容を決定し、通知装置４０＿１が、通知内容を出力するようになっている。また、この所持品忘れ検知システムは、所持者の動きを検出し該動きを該管理装置６０に通知するセンサ（例えば、単に所持者の移動方向を検出するセンサやドアセンサ等）をさらに備え、該管理装置６０は該所持者の動きを管理することができる。これにより、所持者が、特定の領域、例えば、家に入ったのか又は家から出たのかを判断し、管理装置は、所持者の動きを管理することが可能になる。
【特許文献１】特開２００４−２１３１３０号公報
【特許文献２】特開２００４−２４６６９６号公報
【発明の開示】
【発明が解決しようとする課題】
【０００４】
特許文献１に記載の所持品忘れ検知システムを家庭に設置した場合、持ち主が建物の出入り口を通過する度に忘れ物検知が動作するので、帰宅時にも忘れ物を判別する動作を実施する。したがって、帰宅時の忘れ物判別が不要である場合には、忘れ物があるという告知（通知）が不要なときに告知されて煩わしいという問題があった。
【０００５】
この問題を解決したのが特許文献２に記載の所持品忘れ検知システムである。すなわち、この所持品忘れ検知システムを家庭に設置した場合、所持者の外出／帰宅を判断しているので、帰宅時の忘れ物判別が不要である場合には、帰宅時に忘れ物判別を実施しないように設定すればよい。しかし、所持者の外出／帰宅を判断するためのセンサ（例えば、単に所持者の移動方向を検出するセンサやドアセンサ等）をタグ読取装置２０＿１とは別に設けているので、部品点数の増大、構成の複雑化を招くという問題があった。
【０００６】
本発明は、上述した各問題を解消するためになされたもので、既存の構成を共用（流用）して、部品点数の増大、構成の複雑化を招くことなく、所持者の出入り口の入出方向を検出することにより、忘れ物があるという通知を必要なときに適切に行うことができる所持品忘れ検知システムを提供することを目的とする。
【課題を解決するための手段】
【０００７】
上記の課題を解決するため、請求項１に係る発明の構成上の特徴は、ドアを有する出入り口を通って出入りする所持者が所持すべき所持品に付されて当該所持品の識別情報を所持者の識別情報と関連付けて記憶している無線記憶体と、無線記憶体からの両識別情報を含んだ信号をアンテナを介して入力し、該信号から両識別情報を読み取る情報読取装置と、情報読取装置によって読み取った識別情報に基づいて所持者が所持すべき所持品を持っているか否かを判定する所持品所持判定手段を有する制御装置と、所持品所持判定手段によって所持者が所持すべき所持品を持っていないと判定された場合には、その旨を通知する通知装置と、を備えた所持品忘れ検知システムにおいて、アンテナは出入り口より一方の所定空間内または他方の所定空間内に設置され、情報読取装置は、アンテナを介して入力した信号に基づいて無線記憶体から発信された電波の電界強度を検出する電界強度検出手段を有し、制御装置は、電界強度検出手段によって検出された電界強度に基づいて所持者が出入り口に入る方向を判定する出入り口進入方向判定手段をさらに有することである。
【０００８】
また請求項２に係る発明の構成上の特徴は、請求項１において、出入り口進入方向判定手段は、電界強度検出手段によって検出された電界強度に基づいて該電界強度の変化率を導出する電界強度変化率導出手段と、電界強度変化率導出手段によって導出された電界強度の変化率が第１所定値より大きいか否かを比較する第１比較手段と、電界強度の変化率が第１所定値より大きい場合には、所持者がアンテナが設置されている側の反対側から出入り口に進入すると判定する第１進入方向判定手段と、を備えたことである。
【０００９】
また請求項３に係る発明の構成上の特徴は、請求項２において、出入り口進入方向判定手段は、電界強度変化率導出手段によって導出された電界強度の変化率が第１所定値より小さい第２所定値より大きいか否かを比較する第２比較手段と、電界強度検出手段によって導出された電界強度が第３所定値より大きいか否かを比較する第３比較手段と、電界強度の変化率が第１所定値以下で第２所定値より大きく、かつ、電界強度が第３所定値より大きい場合には、所持者がアンテナが設置されている側から出入り口に進入すると判定する第２進入方向判定手段と、を備えたことである。
【００１０】
また請求項４に係る発明の構成上の特徴は、ドアを有する出入り口を通って出入りする所持者が所持すべき所持品に付されて当該所持品の識別情報を所持者の識別情報と関連付けて記憶している無線記憶体と、無線記憶体からの両識別情報を含んだ信号をアンテナを介して入力し、該信号から両識別情報を読み取る情報読取装置と、情報読取装置によって読み取った識別情報に基づいて所持者が所持すべき所持品を持っているか否かを判定する所持品所持判定手段を有する制御装置と、所持品所持判定手段によって所持者が所持すべき所持品を持っていないと判定された場合には、その旨を通知する通知装置と、を備えた所持品忘れ検知システムにおいて、アンテナは出入り口より一方の所定空間内または他方の所定空間内に設置され、情報読取装置は、該情報読取装置が識別情報を正常に読み取る確率を導出する読取確率導出手段を有し、制御装置は、読取確率導出手段によって導出された読取確率に基づいて所持者が出入り口に入る方向を判定する出入り口進入方向判定手段をさらに有することである。
【００１１】
また請求項５に係る発明の構成上の特徴は、請求項４において、出入り口進入方向判定手段は、読取確率導出手段によって導出された読取確率に基づいて読取確率の変化率を導出する読取確率変化率導出手段と、読取確率変化率導出手段によって導出された読取確率の変化率が第４所定値より大きいか否かを比較する第４比較手段と、読取確率の変化率が第４所定値より大きい場合には、所持者がアンテナが設置されている側の反対側から出入り口に進入すると判定する第１進入方向判定手段と、を備えたことである。
【００１２】
また請求項６に係る発明の構成上の特徴は、請求項５において、出入り口進入方向判定手段は、読取確率変化率導出手段によって導出された読取確率の変化率が第４所定値より小さい第５所定値より大きいか否かを比較する第５比較手段と、読取確率導出手段によって導出された読取確率が第６所定値より大きいか否かを比較する第６比較手段と、読取確率の変化率が第４所定値以下で第５所定値より大きく、かつ、読取確率が第６所定値より大きい場合には、所持者がアンテナが設置されている側から出入り口に進入すると判定する第２進入方向判定手段と、を備えたことである。
【発明の効果】
【００１３】
上記のように構成した請求項１に係る発明においては、無線記憶体からの信号を受信するアンテナは、ドアを有する出入り口より一方（例えば内側）の所定空間内または他方（例えば外側）の所定空間内に設置されている。そのため、ドアや建物の壁などによって無線記憶体からの電波が遮られる。したがって、出入り口を挟んでアンテナを設置している側の反対側における無線記憶体からの受信電界強度分布は、アンテナを設置している側と比べて出入り口からの範囲が狭いものとなる。すなわち、アンテナを設置している側の反対側において、無線記憶体からの電波の電界強度の傾きがアンテナを設置している側の電界強度の傾きより大きくなる状況が生じる。このようなアンテナの設置場所に起因する受信電界強度分布すなわち電界強度の傾きの違いに着目して、本発明がなされた。本発明においては、情報読取装置の電界強度検出手段が、アンテナを介して入力した信号に基づいて無線記憶体から発信された電波の電界強度を検出する。また、制御装置の出入り口進入方向判定手段が、電界強度検出手段によって検出された電界強度に基づいて所持者が出入り口に入る方向を判定する。したがって、既存の構成を共用（流用）して、部品点数の増大、構成の複雑化を招くことなく、所持者の出入り口の入る方向を検出することにより、忘れ物があるという通知を必要なときに適切に行うことができる。
【００１４】
上記のように構成した請求項２に係る発明においては、アンテナがドアを有する出入り口より内側の所定空間内に設置されている場合、電界強度の変化率が第１所定値より大きい場合には、所持者がアンテナが設置されている側の反対側すなわち外側から出入り口に入ると判定し、この判定結果に基づいて所持者が建物へ入ることを確実かつ適切に検出する。また、アンテナがドアを有する出入り口より外側の所定空間内に設置されている場合、電界強度の変化率が第１所定値より大きい場合には、所持者がアンテナが設置されている側の反対側すなわち内側から出入り口に入ると判定し、この判定結果に基づいて所持者が建物から出ることを確実かつ適切に検出する。
【００１５】
上記のように構成した請求項３に係る発明においては、アンテナがドアを有する出入り口より内側の所定空間内に設置されている場合、電界強度の変化率が第１所定値以下で第２所定値より大きく、かつ、電界強度が第３所定値より大きい場合には、所持者がアンテナが設置されている側すなわち内側から出入り口に入ると判定し、この判定結果に基づいて所持者が建物から出ることを確実かつ適切に検出する。また、アンテナがドアを有する出入り口より外側の所定空間内に設置されている場合、電界強度の変化率が第１所定値以下で第２所定値より大きく、かつ、電界強度が第３所定値より大きい場合には、所持者がアンテナが設置されている側の反対側すなわち外側から出入り口に入ると判定し、この判定結果に基づいて所持者が建物へ入ることを確実かつ適切に検出する。
【００１６】
上記のように構成した請求項４に係る発明においては、無線記憶体からの信号を受信するアンテナは、ドアを有する出入り口より一方（例えば内側）の所定空間内または他方（例えば外側）の所定空間内に設置されている。そのため、ドアや建物の壁などによって無線記憶体からの電波が遮られる。したがって、出入り口を挟んでアンテナを設置している側の反対側における無線記憶体からの受信電界強度分布は、アンテナを設置している側と比べて出入り口からの範囲が狭いものとなる。すなわち、アンテナを設置している側の反対側の受信エリアがアンテナを設置している側より狭くなる状況が生じる。このようなアンテナの設置場所に起因する受信電界強度分布すなわち受信エリアの広さの違いに着目して、本発明がなされた。本発明においては、情報読取装置の読取確率導出手段が、該情報読取装置が識別情報を正常に読み取る確率を導出する。また、制御装置の出入り口進入方向判定手段が、読取確率導出手段によって検出された読取確率に基づいて所持者が出入り口に入る方向を判定する。したがって、既存の構成を共用（流用）して、部品点数の増大、構成の複雑化を招くことなく、所持者の出入り口の入る方向を検出することにより、忘れ物があるという通知を必要なときに適切に行うことができる。
【００１７】
上記のように構成した請求項５に係る発明においては、アンテナがドアを有する出入り口より内側の所定空間内に設置されている場合、読取確率の変化率が第４所定値より大きい場合には、所持者がアンテナが設置されている側の反対側すなわち外側から出入り口に入ると判定し、この判定結果に基づいて所持者が建物へ入ることを確実かつ適切に検出する。また、アンテナがドアを有する出入り口より外側の所定空間内に設置されている場合、読取確率の変化率が第４所定値より大きい場合には、所持者がアンテナが設置されている側の反対側すなわち内側から出入り口に入ると判定し、この判定結果に基づいて所持者が建物から出ることを確実かつ適切に検出する。
【００１８】
上記のように構成した請求項６に係る発明においては、アンテナがドアを有する出入り口より内側の所定空間内に設置されている場合、読取確率の変化率が第４所定値以下で第５所定値より大きく、かつ、読取確率が第６所定値より大きい場合には、所持者がアンテナが設置されている側すなわち内側から出入り口に入ると判定し、この判定結果に基づいて所持者が建物から出ることを確実かつ適切に検出する。また、アンテナがドアを有する出入り口より外側の所定空間内に設置されている場合、読取確率の変化率が第４所定値以下で第５所定値より大きく、かつ、読取確率が第６所定値より大きい場合には、所持者がアンテナが設置されている側の反対側すなわち外側から出入り口に入ると判定し、この判定結果に基づいて所持者が建物へ入ることを確実かつ適切に検出する。
【発明を実施するための最良の形態】
【００１９】
以下、本発明による所持品忘れ検知システムの一実施形態について説明する。図１および図２はこの所持品忘れ検知システムの概要を示す概要図である。図１に示す所持品忘れ検知システムは、美観を重視してＩＣタグ読取装置２０を目立たないように設けたタイプであり、例えばＩＣタグ読取装置２０をドア５１の内壁面に埋設したタイプのものである。図２に示す所持品忘れ検知システムは、埋設などの設置工事をすることなくＩＣタグ読取装置２０を設置するタイプのものであり、例えばＩＣタグ読取装置２０を壁５４に取り付けたタイプのものである。
所持品忘れ検知システムは、無線記憶体であるＩＣタグ１０、情報読取装置であるＩＣタグ読取装置２０、および制御装置本体３０を備えている。
【００２０】
ＩＣタグ１０は、一般的に自身の識別コードなどの情報が記録（記憶）されており、内蔵のアンテナを介して電波を使って管理システム（本実施形態では制御装置本体３０である）と情報を送受信するものである。すなわち、ＩＣタグ１０は、ドア５１を有する建物５２の出入り口５３を通って出入りする所持者Ｍが所持すべき所持品６０に付されるものであり、当該所持品６０の識別情報を所持者Ｍの識別情報と関連付けて記憶しているものである。また、ＩＣタグ１０への情報の書き込みはＩＣタグ読取装置２０を介して行うことができる。なお、ＩＣタグ１０は、電源としてバッテリ（例えばコイン型電池）を搭載する比較的大きなもの（例えば縦横が３０ｍｍ×６０ｍｍ）から、バッテリを搭載しないでＩＣタグ読取装置２０の電波を受信し電磁誘導などの仕組み電流を発生させる非常に小さいもの（例えばチップサイズは０．４ｍｍ角）までいろいろなサイズのものがある。
所持品６０は、図１および図２に示すように、携帯電話６１、身分証明書（ＩＤカード）６２、カバン６３などがある。
【００２１】
情報読取装置であるＩＣタグ読取装置２０は、建物５２の出入り口５３より一方である内側の所定空間内に設置されている。本実施形態においては、上述したようにＩＣタグ読取装置２０はドア５１の内壁面に埋設されている。このＩＣタグ読取装置２０は、図３に示すように、アンテナ２１、情報読取部２２、および電界強度検出部２３を有している。
【００２２】
アンテナ２１はＩＣタグ読取装置２０の本体２０ａに内蔵されている。したがって、アンテナ２１は建物５２の出入り口５３より一方である内側の所定空間内に設置されることになる。所定空間は、電界強度が後述する判定値（第３所定値Ｅ３）以上となり、かつ判定できる程度以上に電界強度の変化率が生じる範囲が確保できる領域である。ＩＣタグ１０の受信電界強度は比較的限られた狭い範囲（受信距離は見通しの良い直線距離で数メートルである）である。したがって、この所定空間内であれば、図２に示すように、ＩＣタグ読取装置２０をドア５１から離れた位置例えば壁５４に設けた棚５４ａに設置するようにしてもよい。
【００２３】
なお、アンテナ２１を建物５２の出入り口５３より他方である外側の所定空間内に設置するようにしてもよい。この場合、ＩＣタグ読取装置２０はドア５１の外壁面や出入り口５２の周辺の建物の外壁面に埋設すればよい。
【００２４】
情報読取部２２は、ＩＣタグ１０からの各識別情報を含んだ信号をアンテナ２１を介して入力し、該信号から各識別情報を読み取る。識別情報は、ＩＣタグ１０自身の識別コード、所持者Ｍの識別情報、および所持品６０の識別情報であり、これらの識別情報は互いに関連付けられている。なお、情報読取部２２は、所持者Ｍの識別情報や所持品６０の識別情報をＩＣタグ１０に書き込む機能も有する。この機能は、管理対象に新しい所持品６０が加わる際にその所持品６０に付けるＩＣタグ１０に所持者Ｍの識別情報や所持品６０の識別情報を書き込むために使用する。書き込むべき情報は、入力装置３４を使って入力される。
【００２５】
電界強度検出部２３は、アンテナ２１を介して入力したＩＣタグ１０からの信号に基づいてＩＣタグ１０から発信された電波の電界強度（受信電界強度）を検出するものである。例えば、電界強度検出部２３は、受信電波の強さを示すＲＳＳＩ値（Received Signal Strength Indicator）などに数値化してそれに相当する信号を制御装置３１に出力する。
【００２６】
制御装置本体３０は、図３に示すように、制御装置３１、表示装置３２、音声出力装置３３および入力装置３４を有している。制御装置本体３０は、ケーブル３５を介してＩＣタグ読取装置２０と接続されている。
【００２７】
制御装置３１は、情報読取部２２がＩＣタグ１０から読み取った識別情報を情報読取部２２から入力するとともに、電界強度検出部２３がＩＣタグ１０から入力した信号に基づいて検出した受信電界強度を示す信号を電界強度検出部２３から入力する。この制御装置３１は、マイクロコンピュータ（図示省略）を有しており、マイクロコンピュータは、バスを介してそれぞれ接続された入出力インターフェース、ＣＰＵ、ＲＡＭおよびＲＯＭ（いずれも図示省略）を備えている。ＣＰＵは、図６〜図９のフローチャートに対応したプログラムを実行して、ＩＣタグ１０から読み取った識別情報に基づいて所持者Ｍと現在その所持者Ｍが所持している所持品６０を認識する。ＣＰＵは、この認識した所持品６０と、所持者Ｍと関連付けられて予め登録（記憶）されている所持品６０のデータとを照合する。ＣＰＵは、その照合の結果に基づいて所持者Ｍが所持すべき所持品６０を持っているか否かを判定する。そして、ＣＰＵは、所持者Ｍが所持すべき所持品６０を持っていないと判定された場合には、その旨を通知するように通知装置（本実施形態では表示装置３２、音声出力装置３３である。）に指令を送信する。さらに、ＣＰＵは、受信電界強度を示す信号に基づいて所持者Ｍが出入り口５３に入る方向を判定する、すなわち所持者Ｍが建物５２に入るのか或いは出るのかを判定する。ＲＡＭは同プログラムの実行に必要な変数を一時的に記憶するものであり、ＲＯＭは前記プログラム、後述するリストや個人データベースを記憶するものである。
【００２８】
表示装置３２は、ＬＣＤ（liquid crystal display  液晶表示ディスプレー）やＣＲＴ（cathode-ray tube ブラウン管）などで構成されるものであり、制御装置３１からの指令を受けて所持品の忘れ物がある旨を表示して所持者Ｍに注意を促すものである。例えば、所持すべき所持品６０である携帯電話６１を所持していない場合には、「○○さん携帯電話を忘れています。」というメッセージが表示される。また、単にＬＥＤやランプを点滅させるようにしてもよい。これによっても所持者Ｍに「何か忘れている」ということを喚起することができる。
【００２９】
音声出力装置３３は、スピーカやブザーなどで構成されるものであり、制御装置３１からの指令を受けて所持品の忘れ物がある旨を音声出力して所持者Ｍに注意を促すものである。例えば、所持すべき所持品６０である携帯電話６１を所持していない場合には、「○○さん携帯電話を忘れています。」という音声メッセージが出力される。また、単にブザーを鳴動させるようにしてもよい。これによっても所持者Ｍに「何か忘れている」ということを喚起することができる。
【００３０】
入力装置３４は、所持品忘れ検知システムの諸設定をするために使用されるものである。例えば、所持者Ｍの識別情報や所持品６０の識別情報をＩＣタグ１０に書き込む際に、操作者が新たに追加する識別情報を入力装置３４から入力する。入力された識別情報は制御装置３１を介して関連付けられて情報読取部２２に送られて、情報読取部２２は送られてきた情報をアンテナ２１を介してＩＣタグ１０に書き込む。
【００３１】
次に、上述した所持品忘れ検知システムの作動について図６〜図９のフローチャートに沿って説明する。制御装置３１は、図示しない主電源が投入されると、所定の短時間（例えば０．５秒）毎に、上記フローチャートに対応したプログラム（ステップ１０２から１０８の処理）を繰り返し実行する。制御装置３１は、ステップ１００にてプログラムを起動しプログラムをステップ１０２に進める。
【００３２】
制御装置３１は、ステップ１０２において、ＩＣタグ１０からの情報の読み込みがあるか否かを判定する。具体的には、ＩＣタグ１０からの識別情報のうち少なくともＩＣタグ１０自身の識別コードを情報読取部２２から入力したか否かを判定する。また、制御装置３１は、ステップ１０４において、読み込んだ識別情報のうち所持者Ｍの氏名、所持品６０の名前の情報が登録されていないか否かを判定する。
【００３３】
これにより、ＩＣタグ１０からの情報の読み込みがない場合には、制御装置３１は、ステップ１０２において「ＮＯ」と判定し続けて、ＩＣタグ１０からの情報の読み込みがあるまでステップ１０２の処理を繰り返し実行する。
【００３４】
ＩＣタグ１０からの情報の読み込みがあり、かつ、その読み込んだ識別情報のうち所持者Ｍの氏名、所持品６０の名前の情報が登録されている場合には、制御装置３１は、ステップ１０２，１０４において「ＹＥＳ」、「ＮＯ」とそれぞれ判定しプログラムをステップ１０６に進めて忘れ物の判別を実施する。
【００３５】
ＩＣタグ１０からの情報の読み込みがあり、かつ、その読み込んだ識別情報のうち所持者Ｍの氏名、所持品６０の名前の情報が登録されていない場合には、制御装置３１は、ステップ１０２，１０４においてそれぞれ「ＹＥＳ」と判定しプログラムをステップ１０８に進めて必要な情報を当該ＩＣタグ１０に書き込むとともに必要な情報を個人データベースに登録する。
【００３６】
制御装置３１は、ステップ１０６において、図７および図８に示す忘れ物判別ルーチンに沿ってプログラムを実行し、電界強度に基づいて所持者Ｍが出入り口５３に入る方向を判定し、忘れ物の有無を判別し、忘れ物がある場合にはその旨を所持者Ｍに通知する。
【００３７】
制御装置３１は、まず電界強度に基づいて所持者Ｍが出入り口５３に入る方向を判定する。すなわち、電界強度に基づいて所持者Ｍが建物５２へ入るか或いは出るのかを判定（判断）する。具体的には、制御装置３１は、ステップ２０２において、電界強度検出部２３によって検出された電界強度ｅに基づいて該電界強度の変化率ｅ'を導出する（電界強度変化率導出手段）。例えば、過去数件分の電界強度の平均値を電界強度の変化率ｅ'として算出する。制御装置３１は、ステップ２０４において、ステップ２０２によって導出された電界強度の変化率ｅ'が第１所定値Ｅ１'より大きいか否かを比較する（第１比較手段）。
【００３８】
制御装置３１は、電界強度の変化率ｅ'が第１所定値Ｅ１'より大きい場合には、ステップ２０４にて「ＹＥＳ」と判定しプログラムをステップ２０６に進めて所持者Ｍがアンテナ２１が設置されている側の反対側から出入り口５３に進入すると判定する（第１進入方向判定手段）。
【００３９】
制御装置３１は、ステップ２０８において、アンテナ２１が出入り口５３の内側に設置してあるか否かを予め設定されているアンテナ２１の位置から判定する。本実施形態のようにアンテナ２１が出入り口５３の内側に設置してあれば、制御装置３１は「ＹＥＳ」と判定しプログラムをステップ２１０に進める。制御装置３１は、ステップ２１０において、アンテナ２１が設置されている側の反対側が出入り口５３の外側すなわち建物外部であると判定し、所持者Ｍが建物５２へ入る（帰宅する）と決定する。その後、制御装置３１は、プログラムをステップ２１２に進める。一方、アンテナ２１が出入り口５３の外側に設置してあれば、制御装置３１は「ＮＯ」と判定しプログラムをステップ２３４に進める。制御装置３１は、ステップ２３４において、アンテナ２１が設置されている側の反対側が出入り口５３の内側すなわち建物内部であると判定し、所持者Ｍが建物５２から出る（外出する）と決定する。その後、制御装置３１は、プログラムをステップ２３６に進める。
【００４０】
また、制御装置３１は、電界強度の変化率ｅ'が第１所定値Ｅ１'以下である場合には、ステップ２０４にて「ＮＯ」と判定しプログラムをステップ２２８に進めて所持者Ｍがアンテナ２１が設置されている側から出入り口５３に進入するか否かを判定する。具体的には、制御装置３１は、まずステップ２２８において、ステップ２０２によって導出された電界強度の変化率ｅ'が第１所定値Ｅ１'より小さい第２所定値Ｅ２'より大きいか否かを比較するとともに（第２比較手段）、電界強度検出部２３によって検出された電界強度ｅが第３所定値Ｅ３より大きいか否かを比較する（第３比較手段）。
【００４１】
制御装置３１は、電界強度の変化率ｅ'が第２所定値Ｅ２'より大きく、かつ、電界強度ｅが第３所定値Ｅ３より大きい場合には、ステップ２２８にて「ＹＥＳ」と判定しプログラムをステップ２３０に進めて所持者Ｍがアンテナ２１が設置されている側から出入り口５３に進入すると判定する（第２進入方向判定手段）。これにより、電界強度の変化率ｅ'が第１所定値Ｅ１'以下で第２所定値Ｅ２'より大きく、かつ、電界強度ｅが第３所定値Ｅ３より大きい場合には、所持者Ｍがアンテナ２１が設置されている側から出入り口５３に進入すると判定する。
【００４２】
なお、電界強度の変化率ｅ'が第２所定値Ｅ２'より大きいことのみを判定条件とすると、ＩＣタグ１０がドア５１より離れていてもその条件を満足する場合があり、これにより誤判定する可能性がある。このような誤判定を回避するため、ＩＣタグ１０がドア５１に近づいた場合に判定するように、電界強度ｅが第３所定値Ｅ３より大きいことを条件に追加した。
【００４３】
制御装置３１は、ステップ２３２において、アンテナ２１が出入り口５３の内側に設置してあるか否かを予め設定されているアンテナ２１の位置から判定する。本実施形態のようにアンテナ２１が出入り口５３の内側に設置してあれば、制御装置３１は「ＹＥＳ」と判定しプログラムをステップ２３４に進める。制御装置３１は、ステップ２３４において、アンテナ２１が設置されている側が出入り口５３の内側すなわち建物内部であると判定し、所持者Ｍが建物５２から出る（外出する）と決定する。その後、制御装置３１は、プログラムをステップ２３６に進める。一方、アンテナ２１が出入り口５３の外側に設置してあれば、制御装置３１は「ＮＯ」と判定しプログラムをステップ２１０に進める。制御装置３１は、ステップ２１０において、アンテナ２１が設置されている側が出入り口５３の外側すなわち建物外部であると判定し、所持者Ｍが建物５２へ入る（帰宅する）と決定する。その後、制御装置３１は、プログラムをステップ２１２に進める。
【００４４】
上述したように電界強度に基づいて所持者Ｍの出入り口の進入方向が判定できる理由は次に示すとおりである。ＩＣタグ１０からの信号を受信するアンテナ２１は、ドア５１を有する出入り口５３より一方（例えば内側）の所定空間内または他方（例えば外側）の所定空間内に設置されている。したがって、出入り口５３を挟んでアンテナ２１を設置している側の反対側（外側）におけるＩＣタグ１０からの受信電界強度分布は、図４に示すように、ドア５１や建物５２の壁などによってＩＣタグ１０からの電波が遮られるので、アンテナ２１を設置している側（内側）と比べて出入り口５３からの範囲は狭いものとなる。すなわち、アンテナ２１を設置している側の反対側の電界強度の傾きがアンテナを設置している側の電界強度の傾きより大きくなる状況が生じる。このようなアンテナ２１の設置場所に起因する受信電界強度分布すなわち電界強度の傾きの違いに着目して、所持者Ｍの出入り口の進入方向が判定できる。
【００４５】
さらに、図５に外出・帰宅時の電界強度の変化を例示する。図５においては縦軸が電界強度［Ｖ／ｍ］を示し、横軸が時間［秒］を示している。所持者Ｍが外出する場合は、左から右に時間が流れ、帰宅する場合は右から左に時間が流れる。外出する場合には、Ｔａにおいて所持者Ｍが玄関に近づく間の電界強度の変化を示しており、Ｔｂにおいて所持者Ｍが靴を履く間の電界強度の変化を示しており、Ｔｃにおいて所持者が内側からドア５１に近づきドア５１を開いて閉めてドア５１から遠ざかる間の電界強度の変化を示している。図５からも明らかなように、Ｔｃにおいて所持者Ｍがドア５１に接近すると、電界強度ｅは第３所定値Ｅ３より大きく、かつ、電界強度の変化率ｅ'は第１所定値Ｅ１'以下で第２所定値Ｅ２'より大きいものである。一方、帰宅する場合には、Ｔｃにおいて所持者が外側からドア５１に近づきドア５１を開いて閉めてドア５１から遠ざかる間の電界強度の変化を示しており、Ｔｂにおいて所持者Ｍが靴を脱ぐ間の電界強度の変化を示しており、Ｔａにおいて所持者Ｍが玄関から遠ざかる間の電界強度の変化を示している。図５からも明らかなように、Ｔｃにおいて所持者Ｍがドア５１に接近すると、電界強度の変化率ｅ'は第１所定値Ｅ１'より大きいものである。
【００４６】
再び作動の説明に戻る。制御装置３１は、上述したように電界強度に基づいて所持者Ｍが出入り口５３に入る方向の判定、すなわち所持者Ｍが建物５２へ入るか或いは出るのかの判定が終了すると、何れの場合でも所持者Ｍが誰であるかを特定し（ステップ２３６〜２４０またはステップ２１２〜２１６）、所持者Ｍに忘れ物があるか否かを判定し（ステップ２４２〜２４４またはステップ２１８〜２２２；所持品所持判定手段）、忘れ物がある場合にはその旨を通知する（ステップ２４８またはステップ２２４）。
【００４７】
まず外出する場合について説明する。制御装置３１は、ステップ２３６において、認識されている（読み込んだ）全てのＩＣタグ１０の情報のなか個人認証タグ（身分証明書）６２の識別情報があるかないかを判定することにより、所持者Ｍが個人認証タグ（身分証明書）６２を持っているか否かを判定する。所持者Ｍが個人認証タグ（身分証明書）６２を持っていれば、制御装置３１は、ステップ２３６において「ＹＥＳ」と判定し、ステップ２３８において個人認証タグ６２の所持者を外出者であると特定する。また、所持者Ｍが個人認証タグ（身分証明書）６２を持っていなければ、制御装置３１は、ステップ２３６において「ＮＯ」と判定し、ステップ２４０において認識（検出）されている（読み込んだ）全てのＩＣタグ１０の情報のなかの人物のうち一番多い人を外出者であると特定する。これにより、所持者Ｍが誰であるかを特定することができる。
【００４８】
制御装置３１は、ステップ２４２において、このように特定された所持者Ｍの個人データベースを読み出し、このデータベースに登録されている所持すべき所持品６０がすべて認識されているか否かを判定する。個人データベースに登録されている所持すべき所持品６０がすべて認識されていれば、制御装置３１は、ステップ２４２において「ＹＥＳ」と判定し、ステップ２４４において忘れ物はないと判定する。また、個人データベースに登録されている所持すべき所持品６０がすべて認識されていなければ、制御装置３１は、ステップ２４２において「ＮＯ」と判定し、ステップ２４６において忘れ物があると判定する。
【００４９】
制御装置３１は、忘れ物があると判定すると、ステップ２４８にてその旨を所持者Ｍに通知する。具体的には、通知装置である表示装置３２や音声出力装置３３に指令を送って忘れ物があるという通知を表示または音声出力させる。
【００５０】
帰宅する場合も、制御装置３１は、前述した外出する場合と同様の処理を実行する。制御装置３１は、ステップ２３６〜２４０と同様に所持者Ｍが誰であるかを特定し（ステップ２１２〜２１６）、ステップ２４２〜２４４と同様に所持者Ｍに忘れ物があるか否かを判定し（ステップ２１８〜２２２；所持品所持判定手段）、ステップ２４８と同様に忘れ物がある場合にはその旨を通知する（ステップ２２４）。
【００５１】
制御装置３１は、ステップ２２０，２２４，２４４，２４８の各処理が終了すると、プログラムをステップ２２６に進めて本ルーチンを終了し、プログラムを図６に示すステップ１０２に戻す。
【００５２】
また、制御装置３１は、ステップ１０８において、図９に示すタグの情報登録ルーチンに沿ってプログラムを実行し、必要な情報を当該ＩＣタグ１０に書き込むとともに必要な情報を個人データベースに登録する。
【００５３】
制御装置３１は、ステップ３０２において、氏名リストに氏名が登録されているか否かを判定する。氏名リストに氏名が登録されていれば、制御装置３１は、ステップ３０２において「ＹＥＳ」と判定し、制御装置３１に記憶されている氏名リストから選択されたものを読み込む（ステップ３０４）。氏名リストに氏名が登録されていなければ、制御装置３１は、ステップ３０２において「ＮＯ」と判定し、入力装置３４によって氏名が入力されると、それを読み込む（ステップ３０６）ともに氏名リストに追加する（ステップ３０８）。
【００５４】
制御装置３１は、ステップ３１０において、所持品６０の名前が入力されると、その名前を読み込む。制御装置３１は、ステップ３１２において、そのものが個人認証タグ６２であるか否かを判定する。そのものが個人認証タグ６２であれば、制御装置３１は、ステップ３１２にて「ＹＥＳ」と判定しプログラムをステップ３１６に進めて、ステップ３１６において、先に読み込んだ所持者Ｍの氏名、所持品６０の名前（名称）を制御装置３１に記憶されている個人データベースに登録する。また、所持品６０の名前が個人認証タグ６２でなければ、制御装置３１は、ステップ３１２にて「ＮＯ」と判定しプログラムをステップ３１４に進めて、ステップ３１４において、先に読み込んだ所持者Ｍの氏名、所持品６０の名前（名称）をＩＣタグ１０に書き込む。そして、ステップ３１６において、先に読み込んだ所持者Ｍの氏名、所持品６０の名前（名称）を制御装置３１に記憶されている個人データベースに登録する。
【００５５】
制御装置３１は、ステップ３１６の処理が終了すると、プログラムをステップ３１８に進めて本ルーチンを終了し、プログラムを図６に示すステップ１０２に戻す。
【００５６】
上述した説明から明らかなように、本実施形態においては、情報読取装置２０の電界強度検出部２３が、アンテナ２１を介して入力した信号に基づいてＩＣタグ１０から発信された電波の電界強度を検出し、制御装置３１の出入り口進入方向判定手段（ステップ２０２〜２１０，２２８，２３０）が、電界強度検出部２３によって検出された電界強度に基づいて所持者Ｍが出入り口５３に入る方向を判定する。したがって、既存の構成を共用（流用）して、部品点数の増大、構成の複雑化を招くことなく、所持者Ｍの出入り口５３の入る方向を検出することにより、忘れ物があるという通知を必要なときに適切に行うことができる。
【００５７】
また、出入り口進入方向判定手段（ステップ２０２〜２１０，２２８，２３０）は、電界強度検出部２３によって検出された電界強度に基づいて該電界強度の変化率を導出する電界強度変化率導出手段（ステップ２０２）と、電界強度変化率導出手段によって導出された電界強度の変化率が第１所定値より大きいか否かを比較する第１比較手段（ステップ２０４）と、電界強度の変化率が第１所定値より大きい場合には、所持者Ｍがアンテナ２１が設置されている側の反対側から出入り口５３に進入すると判定する第１進入方向判定手段（ステップ２０６）と、を備えている。したがって、アンテナ２１がドア５１を有する出入り口５３より内側の所定空間内に設置されている場合、電界強度の変化率が第１所定値より大きい場合には、所持者Ｍがアンテナ２１が設置されている側の反対側すなわち外側から出入り口５３に入ると判定し、この判定結果に基づいて所持者Ｍが建物５２へ入ることを確実かつ適切に検出する。また、アンテナ２１がドア５１を有する出入り口５３より外側の所定空間内に設置されている場合、電界強度の変化率が第１所定値より大きい場合には、所持者Ｍがアンテナ２１が設置されている側の反対側すなわち内側から出入り口５３に入ると判定し、この判定結果に基づいて所持者Ｍが建物５２から出ることを確実かつ適切に検出する。
【００５８】
また、出入り口進入方向判定手段（ステップ２０２〜２１０，２２８，２３０）は、電界強度変化率導出手段（ステップ２０２）によって導出された電界強度の変化率が第１所定値より小さい第２所定値より大きいか否かを比較する第２比較手段（ステップ２２８）と、電界強度検出部２３によって導出された電界強度が第３所定値より大きいか否かを比較する第３比較手段（ステップ２２８）と、電界強度の変化率が第１所定値以下で第２所定値より大きく、かつ、電界強度が第３所定値より大きい場合には、所持者Ｍがアンテナ２１が設置されている側から出入り口５３に進入すると判定する第２進入方向判定手段（ステップ２３０）と、を備えている。したがって、アンテナ２１がドア５１を有する出入り口５３より内側の所定空間内に設置されている場合、電界強度の変化率が第１所定値以下で第２所定値より大きく、かつ、電界強度が第３所定値より大きい場合には、所持者Ｍがアンテナ２１が設置されている側すなわち内側から出入り口５３に入ると判定し、この判定結果に基づいて所持者Ｍが建物５２から出ることを確実かつ適切に検出する。また、アンテナ２１がドア５１を有する出入り口５３より外側の所定空間内に設置されている場合、電界強度の変化率が第１所定値以下で第２所定値より大きく、かつ、電界強度が第３所定値より大きい場合には、所持者Ｍがアンテナ２１が設置されている側の反対側すなわち外側から出入り口５３に入ると判定し、この判定結果に基づいて所持者Ｍが建物５２へ入ることを確実かつ適切に検出する。
【００５９】
なお、上述した実施形態においては、出入り口進入方向判定手段（ステップ２０２〜２１０，２２８，２３０）が、電界強度に基づいて所持者Ｍが出入り口５３に入る方向を判定していたが、これに代えて、情報読取装置であるＩＣタグ読取装置２０がＩＣタグ１０からの識別情報を正常に読み取る確率（読取確率）に基づいて所持者Ｍが出入り口５３に入る方向を判定するようにしてもよい。
【００６０】
この場合、ＩＣタグ読取装置２０は、図１０に示すように、上述した実施形態の電界強度検出部２３に代えて読取確率導出部２４を備えている。この読取確率導出部２４は、アンテナ２１を介して入力したＩＣタグ１０からの信号に基づいて、ＩＣタグ１０からの識別情報を正常に読み取る確率（読取確率）を導出して制御装置３１に出力する。なお、他の構成は上述したシステムと同一であるので、同一符号を付してその説明を省略する。
【００６１】
また、制御装置３１は、図７の各ステップ２０２，２０４，２２８に代えて図１２に示すステップ４０２，４０４，４０６の処理を実施する。ステップ４０４においては、読取確率導出部２４によって検出された読取確率ｐに基づいて該電界強度の変化率ｐ'を導出する（読取確率変化率導出手段）。例えば、過去数件分の読取確率ｐの平均値を読取確率の変化率ｐ'として算出する。ステップ４０４において、ステップ４０２によって導出された読取確率の変化率ｐ'が第４所定値Ｐ１'より大きいか否かを比較する（第４比較手段）。ステップ４０６において、ステップ４０２によって導出された読取確率の変化率ｐ'が第４所定値Ｐ１'より小さい第５所定値Ｐ２'より大きいか否かを比較するとともに（第５比較手段）、読取確率導出部２４によって検出された読取確率ｐが第６所定値Ｐ３より大きいか否かを比較する（第６比較手段）。
【００６２】
これにより、制御装置３１は、読取確率の変化率ｐ'が第４所定値Ｐ１'より大きい場合には、ステップ４０４にて「ＹＥＳ」と判定しプログラムをステップ２０６に進めて所持者Ｍがアンテナ２１が設置されている側の反対側から出入り口５３に進入すると判定する（第１進入方向判定手段）。また、制御装置３１は、読取確率の変化率ｐ'が第４所定値Ｐ１'以下で第５所定値Ｐ２'より大きく、かつ、読取確率ｐが第６所定値Ｐ３より大きい場合には、ステップ４０４，４０６にて「ＮＯ」、「ＹＥＳ」と判定しプログラムをステップ２３０に進めて所持者Ｍがアンテナ２１が設置されている側から出入り口５３に進入すると判定する（第２進入方向判定手段）。
【００６３】
前述した実施形態によれば、ＩＣタグ１０からの信号を受信するアンテナ２１は、ドア５１を有する出入り口５３より一方（例えば内側）の所定空間内または他方（例えば外側）の所定空間内に設置されている。したがって、出入り口５３を挟んでアンテナ２１を設置している側の反対側におけるＩＣタグ１０からの受信電界強度分布は、ドア５１や建物５２の壁などによってＩＣタグ１０からの電波が遮られるので、アンテナ２１を設置している側と比べて出入り口５３からの範囲は狭いものとなる。すなわち、アンテナ２１を設置している側の反対側の受信エリアがアンテナ２１を設置している側より狭くなる状況が生じる（図４参照）。このようなアンテナ２１の設置場所に起因する受信電界強度分布すなわち受信エリアの広さの違いに着目して、本発明がなされた。
【００６４】
さらに、図１１に外出・帰宅時の読取確率の変化を例示する。図１１においては縦軸が読取確率を示し、横軸が時間［秒］を示している。所持者Ｍが外出する場合は、左から右に時間が流れ、帰宅する場合は右から左に時間が流れる。外出する場合には、Ｔａにおいて所持者Ｍが玄関に近づく間の読取確率の変化を示しており、Ｔｂにおいて所持者Ｍが靴を履く間の読取確率の変化を示しており、Ｔｃにおいて所持者が内側からドア５１に近づきドア５１を開いて閉めてドア５１から遠ざかる間の読取確率の変化を示している。図１１からも明らかなように、Ｔｃにおいて所持者Ｍがドア５１に接近すると、読取確率ｐは第６所定値Ｐ３より大きく、かつ、読取確率の変化率ｐ'は第４所定値Ｐ１'以下で第５所定値Ｐ２'より大きいものである。一方、帰宅する場合には、Ｔｃにおいて所持者が外側からドア５１に近づきドア５１を開いて閉めてドア５１から遠ざかる間の読取確率の変化を示しており、Ｔｂにおいて所持者Ｍが靴を脱ぐ間の読取確率の変化を示しており、Ｔａにおいて所持者Ｍが玄関から遠ざかる間の読取確率の変化を示している。図１１からも明らかなように、Ｔｃにおいて所持者Ｍがドア５１に接近すると、読取確率の変化率ｐ'は第４所定値Ｐ１'より大きいものである。
【００６５】
本実施形態においては、情報読取装置２０の読取確率導出部２４が、該情報読取装置２０が識別情報を正常に読み取る確率を導出し、制御装置３１の出入り口進入方向判定手段（ステップ４０２，４０４，４０６，２０６，２３０）が、読取確率導出部２４によって検出された読取確率に基づいて所持者Ｍが出入り口５３に入る方向を判定する。したがって、既存の構成を共用（流用）して、部品点数の増大、構成の複雑化を招くことなく、所持者の出入り口の入る方向を検出することにより、忘れ物があるという通知を必要なときに適切に行うことができる。
【００６６】
また、出入り口進入方向判定手段（ステップ４０２，４０４，４０６，２０６，２３０）は、読取確率導出部２４によって導出された読取確率に基づいて読取確率の変化率を導出する読取確率変化率導出手段（ステップ４０２）と、読取確率変化率導出手段（ステップ４０２）によって導出された読取確率の変化率が第４所定値より大きいか否かを比較する第４比較手段（ステップ４０４）と、読取確率の変化率が第４所定値より大きい場合には、所持者がアンテナが設置されている側の反対側から出入り口に進入すると判定する第１進入方向判定手段（ステップ２０６）と、を備えている。したがって、アンテナ２１がドア５１を有する出入り口５３より内側の所定空間内に設置されている場合、読取確率の変化率が第４所定値より大きい場合には、所持者Ｍがアンテナ２１が設置されている側の反対側すなわち外側から出入り口５３に入ると判定し、この判定結果に基づいて所持者Ｍが建物５３へ入ることを確実かつ適切に検出する。また、アンテナ２１がドア５１を有する出入り口５３より外側の所定空間内に設置されている場合、読取確率の変化率が第４所定値より大きい場合には、所持者Ｍがアンテナ２１が設置されている側の反対側すなわち内側から出入り口に入ると判定し、この判定結果に基づいて所持者Ｍが建物５２から出ることを確実かつ適切に検出する。
【００６７】
また、出入り口進入方向判定手段（ステップ４０２，４０４，４０６，２０６，２３０）は、読取確率変化率導出手段（ステップ４０２）によって導出された読取確率の変化率が第４所定値より小さい第５所定値より大きいか否かを比較する第５比較手段（ステップ４０６）と、読取確率導出部２４によって導出された読取確率が第６所定値より大きいか否かを比較する第６比較手段（ステップ４０６）と、読取確率の変化率が第４所定値以下で第５所定値より大きく、かつ、読取確率が第６所定値より大きい場合には、所持者がアンテナが設置されている側から出入り口に進入すると判定する第２進入方向判定手段（ステップ２３０）と、を備えている。したがって、アンテナ２１がドア５１を有する出入り口５３より内側の所定空間内に設置されている場合、読取確率の変化率が第４所定値以下で第５所定値より大きく、かつ、読取確率が第６所定値より大きい場合には、所持者Ｍがアンテナ２１が設置されている側すなわち内側から出入り口に入ると判定し、この判定結果に基づいて所持者Ｍが建物５２から出ることを確実かつ適切に検出する。また、アンテナ２１がドア５１を有する出入り口５３より外側の所定空間内に設置されている場合、読取確率の変化率が第４所定値以下で第５所定値より大きく、かつ、読取確率が第６所定値より大きい場合には、所持者Ｍがアンテナ２１が設置されている側の反対側すなわち外側から出入り口５３に入ると判定し、この判定結果に基づいて所持者Ｍが建物５２へ入ることを確実かつ適切に検出する。
【００６８】
また、上述した各実施形態においては、出入り口は建物５２の出入り口５３だけでなく建物５２内の各部屋の出入り口も含む。
【００６９】
また、上述した実施形態においては、ステップ２２８において、電界強度の変化率ｅ'が第１所定値Ｅ１'より小さい第２所定値Ｅ２'より大きいか否かの比較（第２比較手段）と、電界強度検出部２３によって検出された電界強度ｅが第３所定値Ｅ３より大きいか否かの比較（第３比較手段）を一緒に実施しているが、別々に実施するようにしてもよい。ステップ４０６においても同様である。
【図面の簡単な説明】
【００７０】
【図１】本発明による所持品忘れ検知システムの一実施形態の概要を示す概要図である。
【図２】本発明による所持品忘れ検知システムの他の実施形態の概要を示す概要図である。
【図３】図１および図２に示した所持品忘れ検知システムの構成を示す構成図である。
【図４】アンテナを出入り口より内側に設置した場合における出入り口の内側と外側の受信電界エリア（受信電界強度分布）を示す図である。
【図５】所持者の外出・帰宅時における電界強度の変化を示す図である。
【図６】図３に示す制御装置にて実行される制御プログラムのフローチャートである。
【図７】図３に示す制御装置にて実行される制御プログラムのフローチャートである。
【図８】図３に示す制御装置にて実行される制御プログラムのフローチャートである。
【図９】図３に示す制御装置にて実行される制御プログラムのフローチャートである。
【図１０】図１および図２に示した所持品忘れ検知システムの他の実施例の構成を示す構成図である。
【図１１】所持者の外出・帰宅時におけるＩＣタグ情報読取確率の変化を示す図である。
【図１２】図１０に示す制御装置にて実行される制御プログラムのフローチャートの一部である。
【符号の説明】
【００７１】
１０…ＩＣタグ（電波記憶体）、２０…ＩＣタグ読取装置（情報読取装置）、２１…アンテナ、２２…情報読取部、２３…電界強度検出部（電界強度検出手段）、２４…読取確率導出部（読取確率導出手段）、３０…制御装置本体、３１…制御装置、３２…表示装置（通知装置）、３３…音声出力装置（通知装置）、３４…入力装置、５１…ドア、５２…建物、５３…出入り口、５４…壁、６０…所持品、６１…携帯電話、６２…身分証明書（個人認証タグ）、６３…かばん、Ｍ…所持者。
【図１】
2007179150.tif 000003
【図２】
2007179150.tif 000004
【図３】
2007179150.tif 000005
【図４】
2007179150.tif 000006
【図５】
2007179150.tif 000007
【図６】
2007179150.tif 000008
【図７】
2007179150.tif 000009
【図８】
2007179150.tif 000010
【図９】
2007179150.tif 000011
【図１０】
2007179150.tif 000012
【図１１】
2007179150.tif 000013
【図１２】
2007179150.tif 000014